【手続補正書】
【提出日】平成28年12月12日(2016.12.12)
【手続補正１】
【補正対象書類名】特許請求の範囲
【補正対象項目名】全文
【補正方法】変更
【補正の内容】
【特許請求の範囲】
【請求項１】
コンテンツを表示するように構成された光学デバイスを制御する方法であって、前記方法は下記を備える、
現実のシーンにおける第１の領域上の視線を検知することと、
前記第１の領域を囲む境界を設定すること、前記境界は、前記現実のシーンにおける少なくとも第２の領域を除外する、と、
前記境界内の前記第１の領域上の物体認識手順を実行することと、
前記少なくとも第２の領域上の物体認識手順を実行することを控えることと、
第１の音声コマンドまたは第１のジェスチャ・コマンドのうちの少なくとも１つに応じて、少なくとも第１の認識された物体を記憶することと、
第２の音声コマンドまたは第２のジェスチャ・コマンドのうちの少なくとも１つに応じて、少なくとも第２の認識された物体を記憶することと、
前記光学デバイスにおいて、前記記憶された少なくとも第１の認識された物体と、前記記憶された少なくとも第２の認識された物体とを比較すること。
【請求項２】
前記現実のシーンにおける第３の領域上の視線を検知することと、
前記現実のシーンにおける少なくとも第４の領域を除外しながら、前記第３の領域を囲む境界を設定することと、
をさらに備える請求項１に記載の方法。
【請求項３】
前記物体認識手順を実行することは、前記現実のシーンの複数の画像フレームのうちの１つまたは複数に関する前記境界内の第１の領域上の物体認識手順を実行することを備え、前記方法はさらに、
前記境界内で物体が認識された連続回数である第１のカウント、または、前記境界内で物体が認識された回数である第２のカウントを、メモリに記憶することを備える、請求項１に記載の方法。
【請求項４】
前記第１のカウントまたは前記第２のカウントがしきい値を超えたか否かを判定することと、
前記第１のカウントまたは前記第２のカウントがしきい値を超えた場合に、前記物体を強調することと、
前記第１のカウントまたは前記第２のカウントがしきい値を超えた場合に、前記物体に近接したアイコンを表示することと、をさらに備える請求項３に記載の方法。
【請求項５】
前記境界内の第１の領域において物体が認識されない場合、前記方法はさらに、前記境界内の第１の領域の中心へとズームする動作、前記境界を拡大する動作、または、省電力状態に入る動作、のうちの少なくとも１つを実行することを備える、請求項１に記載の方法。
【請求項６】
前記物体認識手順を実行することは、前記現実のシーンの複数の画像フレームのうちの１つまたは複数について、前記境界内の第１の領域上の物体認識手順を実行することを備え、前記方法はさらに、
前記境界内で物体が認識された回数のカウントをメモリに記憶することを備える、請求項１に記載の方法。
【請求項７】
物体のタイプ、履歴、およびユーザ設定のうちの少なくとも１つに基づいて、しきい値を動的に設定することと、
前記カウントが、前記しきい値を超えたか否かを判定することと、
前記カウントが前記しきい値を超えた場合、前記物体を強調することと、
前記カウントが前記しきい値を超えた場合、前記物体に近接したアイコンを表示することと、をさらに備える、請求項６に記載の方法。
【請求項８】
音声コマンドおよびジェスチャ・コマンドのうちの少なくとも１つを受け取ることと、
前記音声コマンドおよび前記ジェスチャ・コマンドのうちの少なくとも１つに応じて、前記境界内の第１の領域の拡大を調節することと、
をさらに備える請求項１に記載の方法。
【請求項９】
少なくとも１つの写真編集ツールを表示することと、
音声コマンドおよびジェスチャ・コマンドのうちの少なくとも１つに基づいて、前記少なくとも１つの写真編集ツールを用いて、前記境界内の第１の領域を編集することと、
前記編集された第１の領域の画像を記憶することと、
をさらに備える請求項１に記載の方法。
【請求項１０】
コンテンツを表示するように構成された光学デバイスを制御するための装置であって、前記装置は下記を備える、
現実のシーンにおける第１の領域上の視線を検知するための手段と、
前記第１の領域を囲む境界を設定するための手段、前記境界は、前記現実のシーンにおける少なくとも第２の領域を除外する、と、
前記境界内の前記第１の領域上の物体認識手順を実行するための手段と、
前記少なくとも第２の領域上の物体認識手順を実行することを控えるための手段と、
第１の音声コマンドまたは第１のジェスチャ・コマンドのうちの少なくとも１つに応じて、少なくとも第１の認識された物体を記憶するための手段と、
第２の音声コマンドまたは第２のジェスチャ・コマンドのうちの少なくとも１つに応じて、少なくとも第２の認識された物体を記憶するための手段と、
前記光学デバイスにおいて、前記記憶された少なくとも第１の認識された物体と、前記記憶された少なくとも第２の認識された物体とを比較するための手段。
【請求項１１】
前記現実のシーンにおける第３の領域上の視線を検知するための手段と、
前記現実のシーンにおける少なくとも第４の領域を除外しながら、前記第３の領域を囲む境界を設定するための手段と、
をさらに備える請求項１０に記載の装置。
【請求項１２】
前記物体認識手順を実行するための手段は、前記現実のシーンにおける複数の画像フレームのうちの１つまたは複数について、前記境界内の第１の領域上の物体認識手順を実行するように構成され、前記装置はさらに、
前記境界内で物体が認識された連続回数である第１のカウント、または、前記境界内で物体が認識された回数である第２のカウントを記憶するための手段を備え、
前記第１のカウントまたは前記第２のカウントがしきい値を超えたか否かを判定するための手段と、
前記第１のカウントまたは前記第２のカウントが前記しきい値を超えた場合に、前記物体を強調するための手段と、
前記第１のカウントまたは前記第２のカウントが前記しきい値を超えた場合に、前記物体に近接したアイコンを表示するための手段と
をさらに備える請求項１０に記載の装置。
【請求項１３】
少なくとも１つの動作を実行するための手段をさらに備え、前記少なくとも１つの動作は、前記境界内の第１の領域において物体が認識されていない場合省電力状態に入る動作、前記境界を拡大する動作、または前記境界内の第１の領域の中心へとズームする動作、のうちの少なくとも１つを備える、請求項１０に記載の装置。
【請求項１４】
前記物体認識手順を実行するための手段は、前記現実のシーンの複数の画像フレームのうちの１つまたは複数について、前記境界内の第１の領域上の物体認識手順を実行するように構成され、前記装置はさらに、
前記境界内において物体が認識された回数のカウントを記憶するための手段を備え、
物体のタイプ、履歴、およびユーザ設定のうちの少なくとも１つに基づいて、しきい値を動的に設定するための手段と、
前記カウントが、前記しきい値を超えたか否かを判定するための手段と、
前記カウントが前記しきい値を超えた場合、前記物体を強調するための手段と、
前記カウントが前記しきい値を超えた場合、前記物体に近接したアイコンを表示するための手段と
をさらに備える請求項１０に記載の装置。
【請求項１５】
コンピュータ・プログラム製品であって、前記コンピュータによって実行された場合、前記コンピュータに、請求項１乃至９のうちのいずれか１項に記載の方法を実行させるコードを備えるコンピュータ読取り可能な媒体を備える、コンピュータ・プログラム製品。